Podtech/llm-jp-corpus-v4-ja_patent huggingface dataset:
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
制御ユニット（１１）を備えている制御可能な胃バンド（１）の制御システムであって、前記胃バンド（１）が、非伸張性背部（４）と、この背部の瘻側に配置されかつ流体を充填することのできるチャンバー（２）とを含み、このチャンバー（２）が、第２チャンバー（５）に接続されているとともに、胃壁（３）における圧力を検出するための少なくとも１つのセンサー（７）を有し、このセンサー（７）が、検出されたその圧力値を前記制御ユニット（１１）へ無線送信するための装置（８）に接続されており、かつ、前記制御ユニット（１１）が、ハウジング（１２）のみならず、前記胃バンド（１）の前記少なくとも１つのセンサー（７）から送信された圧力データを受信するための装置（１３）を含んでなり、検出された前記圧力値を記憶するための少なくとも１つの記憶装置（９，１４）と、受信された前記圧力値の時間的経過を処理するための装置（１６）とが設けられていることを特徴とする制御システム。
【請求項２】
前記送信装置（８）は高周波送信機から構成されており、かつ、前記受信装置（１３）は高周波受信機から構成されていることを特徴とする請求項１に記載の制御システム。
【請求項３】
前記高周波送信機は受動的送信機から構成されていることを特徴とする請求項２に記載の制御システム。
【請求項４】
前記送信装置（８）および前記受信装置（１３）は高周波応答機から構成されていることを特徴とする請求項１〜３のいずれか１つに記載の制御システム。
【請求項５】
前記少なくとも１つの圧力センサー（７）は圧電性センサーから構成されていることを特徴とする請求項１〜４のいずれか１つに記載の制御システム。
【請求項６】
記憶装置（９）が前記胃バンド（１）の中に設けられていることを特徴とする請求項１〜５のいずれか１つに記載の制御システム。
【請求項７】
記憶装置（１４）が前記制御ユニット（１１）の中に配置されていることを特徴とする請求項１〜６のいずれか１つに記載の制御システム。
【請求項８】
ディスプレイ（１５）が前記制御ユニット（１１）の中に設けられていることを特徴とする請求項１〜７のいずれか１つに記載の制御システム。
【請求項９】
受信された前記圧力値を処理するための前記装置（１６）はマイクロプロセッサーから構成されていることを特徴とする請求項１〜８のいずれか１つに記載の制御システム。
【請求項１０】
時間モジュール（１７）が前記制御ユニット（１１）の中に設けられていることを特徴とする請求項１〜９のいずれか１つに記載の制御システム。
【請求項１１】
少なくとも１つの作動要素（１８）が前記制御ユニット（１１）の中に設けられていることを特徴とする請求項１〜１０のいずれか１つに記載の制御システム。
【請求項１２】
信号発生器が前記制御ユニット（１１）の中に設けられていることを特徴とする請求項１〜１１のいずれか１つに記載の制御システム。
【請求項１３】
前記信号発生器はラウドスピーカー（２０）から構成されていることを特徴とする請求項１２に記載の制御システム。
【請求項１４】
前記信号発生器は振動発生器（２１）から構成されていることを特徴とする請求項１２に記載の制御システム。
【請求項１５】
インターフェイス（２２）が前記制御ユニット（１１）の中に設けられていることを特徴とする請求項１〜１４のいずれか１つに記載の制御システム。
【請求項１６】
前記制御ユニット（１１）のハウジング（１２）は適切な腕時計バンド（２４）が備わった腕時計（２３）の形態にあることを特徴とする請求項１〜１５のいずれか１つに記載の制御システム。
【請求項１７】
検出されて評価された前記圧力値に基づいて前記チャンバー（２）の中の圧力の最適化を可能にするために、前記胃バンド（１）の前記チャンバー（２）の中へ流体を導入するかあるいは前記チャンバー（２）から流体を吸い出すための装置が設けられていることを特徴とする請求項１〜１６のいずれか１つに記載の制御システム。
【請求項１８】
流体を導入するかあるいは流体を吸い出すための前記装置は前記チャンバー（２）と前記第２チャンバー（５）との間の接続部（６）に配置されたポンプ（２５）から構成されていることを特徴とする請求項１７に記載の制御システム。
【請求項１９】
嚥下活量を測定するためのセンサー（２６）が設けられ、このセンサー（２６）は、検出されたセンサー値を前記制御ユニット（１１）へ無線送信するための装置（２７）に接続されていることを特徴とする請求項１〜１８のいずれか１つに記載の制御システム。
【請求項２０】
前記制御ユニット（１１）を通信装置、とりわけコンピュータ（２９）あるいは電話に接続するための回線（２８）が設けられていることを特徴とする請求項１〜１９のいずれか１つに記載の制御システム。
【請求項２１】
前記胃バンド（１）の前記第２チャンバー（５）は皮下に配置されるポートから構成されていることを特徴とする請求項１〜２０のいずれか１つに記載の制御システム。
【請求項２２】
前記胃バンドの前記チャンバー（２，５）はダクト（６）を介して互いに接続されており、このダクト（６）の中に、前記流体の流量を制御するための少なくとも１つの装置（１０）が設けられていることを特徴とする請求項１〜２１のいずれか１つに記載の制御システム。
【請求項２３】
前記処理装置（１６）は摂食過程の持続時間および速度を検出するために構成されていることを特徴とする請求項１〜２２のいずれか１つに記載の制御システム。
【請求項２４】
前記処理装置（１６）は摂食過程の間に検出された前記圧力値の程度および持続時間を評価するために構成されていることを特徴とする請求項１〜２３のいずれか１つに記載の制御システム。
【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
ＦＣＣ法に使用する触媒組成物であって、該触媒組成物は塩基性材料を含んで成り、該触媒組成物は酸性のゼオライトを実質的に含んでおらず、好ましくは該塩基性材料は担体材料の上に担持されていることを特徴とする触媒組成物。
【請求項２】
脱水素活性をもつ成分を実質的に含んでいないことを特徴とする請求項１記載の触媒組成物。
【請求項３】
ＣＴＯ比が１０で、反応温度が６００℃よりも低い場合、少なくとも３０％のＦＣＣ供給原料変化率を与えるのに十分な触媒活性を有していることを特徴とする請求項１に記載された触媒組成物。
【請求項４】
該塩基性材料はアルカリ金属の化合物、アルカリ土類金属の化合物、３価の金属の化合物、遷移金属の化合物、およびこれらの混合物から成る群から選ばれることを特徴とする上記請求項のいずれか一つに記載された触媒組成物。
【請求項５】
該塩基性材料は遷移金属、アルカリ金属、アルカリ土類金属、または遷移金属の酸化物、水酸化物または燐酸塩、またはこれらの混合物であることを特徴とする請求項４記載の触媒組成物。
【請求項６】
遷移金属の化合物はＺｒＯ2，Ｙ2Ｏ3，Ｎｂ2Ｏ5およびこれらの混合物から成る群から選ばれることを特徴とする請求項４記載の触媒組成物。
【請求項７】
塩基性材料はハイドロタルサイトまたは燐酸アルミニウムであることを特徴とする上記請求項のいずれか一つに記載された触媒組成物。
【請求項８】
塩基性材料は金属陽イオン、好ましくはＩＩｂ族、ＩＩＩｂ族、ＩＶｂ族の金属、希土類金属、およびそれらの混合物から選ばれた、さらに好ましくはＬａ、Ｚｎ、Ｚｒおよびそれらの混合物から選ばれた金属陽イオンドーピング剤でドーピングされていることを特徴とする上記請求項のいずれか一つに記載された触媒組成物。
【請求項９】
担体は難熔性酸化物であることを特徴とする上記請求項のいずれか一つに記載された触媒組成物。
【請求項１０】
担体はアルミナ、シリカ、シリカ−アルミナ、チタニア、およびこれらの混合物から選ばれることを特徴とする請求項９記載の触媒組成物。
【請求項１１】
酸性の部位をもつ材料をさらに含んで成っていることを特徴とする上記請求項のいずれか一つに記載された触媒組成物。
【請求項１２】
酸性の部位をもつ材料はシリカゾル、金属をドーピングされたシリカゾル、シリカと他の難熔性酸化物とのナノスケールの複合体から成る群から選ばれる請求項１１記載の触媒組成物。
【請求項１３】
ＦＣＣ反応条件下において、この際好ましくはＦＣＣ反応温度は４００〜６００℃の範囲の反応温度を含み、ＦＣＣ供給原料を上記請求項のいずれか一つに記載された触媒組成物と接触させる段階を含んで成ることを特徴とするＦＣＣ法。
【請求項１４】
ＦＣＣ供給原料は真空ガス油、水素化処理された真空ガス油、常圧残油供給原料、原油、頁岩油、タールサンド、およびこれらの混合物から成る群から選ばれることを特徴とする請求項１３記載の方法。
【請求項１５】
真空ガス油、水素化処理された真空ガス油、コークス器のガス油、常圧残油、真空残油、およびこれらの水素化処理生成物から選ばれる供給原料をクラッキングする二段階クラッキング法において、該段階の少なくとも一つは請求項１〜１２のいずれか一つに記載された触媒組成物を使用する流体接触クラッキング法であることを特徴とする方法。
【請求項１６】
ａ．該第１の段階が反応温度４６０〜９００℃、好ましくは４６０〜６００℃、さらに好ましくは４６０〜５００℃で操作されるか、或いは
ｂ．両方の段階がＦＣＣ法であり、第２段階は反応温度４８０〜９００℃、さらに好ましくは５００〜６００℃、もっと好ましくは５３０〜５７０℃で操作されることを特徴とする請求項１５記載の方法。
【請求項１７】
該ＦＣＣ過程は抜き取り器および再生器を具備し、若干の触媒を再生器から抜取り器へ送り込むことにより抜取り器の温度を５２０〜６００℃に調節することを特徴とする請求項１６に記載された方法。
【請求項１８】
該段階の一つにおける触媒は伝統的な酸性ゼオライト含有クラッキング触媒であることを特徴とする請求項１６〜１７のいずれか一つに記載された方法。
【請求項１９】
両方の段階がＦＣＣ過程であり、両方の段階で請求項１〜１２のいずれか一つに記載された触媒組成物を使用することを特徴とする請求項１６記載のクラッキング法。
【請求項２０】
ａ．該段階の一つは水素化クラッキング法であるか、
ｂ．該段階の一つは水素化クラッキング法であって，該第１の段階が流体接触クラッキング法であるか、或いは
ｃ．該段階の一つは水素化クラッキング法であって，該第１の段階が水素化クラッキング法であることを特徴とする請求項１６記載のクラッキング法。
【請求項２１】
請求項１３〜２０のいずれか一つに記載された方法で得られたＬＣＯ、ＨＣＯ、および／またはガソリン溜分。
【手続補正書】
【提出日】平成21年12月8日(2009.12.8)
【手続補正１】
【補正対象書類名】特許請求の範囲
【補正対象項目名】請求項１
【補正方法】変更
【補正の内容】
【請求項１】
プロピレンからアクリル酸への不均一触媒部分気相酸化の方法であって、第１の反応ゾーンにおいて、プロピレン、分子酸素、および少なくとも１つの不活性希釈ガスを含み、かつＯ2：Ｃ3Ｈ6のモル比が１以上で前記分子酸素と前記プロピレンを含む開始反応ガス混合物１を、高温の第１の反応段階で、まず、活性組成物としてＭｏ、ＦｅおよびＢｉを含む少なくとも１つの多金属酸化物を触媒が有する少なくとも１つの第１の触媒床に通して、前記触媒床を１回通過した際のプロピレン変換率が９０ｍｏｌ％以上となり、かつアクロレイン形成とアクリル酸副生成物形成を合わせた付随する選択性ＳACが８０ｍｏｌ％以上となるようにし、前記第１の反応段階を終えた前記生成物ガス混合物１の温度を、適宜、直接冷却により、または間接冷却により、または直接および間接冷却により低下させ、さらに適宜、生成物ガス混合物１に、分子酸素の形態の、または不活性ガスの形態の、あるいは分子酸素および不活性ガスの形態の２次ガスを添加し、次いで、生成物ガス混合物１を、アクロレイン、分子酸素、および少なくとも１つの不活性希釈ガスを含み、かつＯ2：Ｃ3Ｈ4Ｏのモル比が０．５以上で前記分子酸素および前記アクロレインを含む開始反応ガス混合物２として、高温の第２の反応段階で、活性組成物としてＭｏおよびＶを含む少なくとも１つの多金属酸化物を触媒が有する少なくとも１つの第２の触媒に通して、触媒床を１回通過した際のアクロレイン変換率が９０ｍｏｌ％以上となり、かつ両反応段階にわたって評価された、変換されたプロピレンに基づくアクリル酸形成の選択性ＳAAが７０ｍｏｌ％以上となるようにし、その後、前記第２の反応段階で形成された前記生成物ガス混合物２から、そこに含まれるアクリル酸を、前記第１の分離ゾーンにおいて、現在の相から凝縮相に変換し、次いで、第２の分離ゾーンにおいて、少なくとも１つの熱分離工程を使用することにより、凝縮相からアクリル酸を分離する方法において、開始反応混合物１が、前記開始反応ガス混合物１に含まれるプロピレンのモル量に基づき、最高３ｍｏｌ％のシクロプロパンを含み、前記第２の分離ゾーンの前記少なくとも１つの熱分離工程が、アクリル酸の少なくとも１つの結晶分離を含むことを特徴とする方法。
【手続補正２】
【補正対象書類名】特許請求の範囲
【補正対象項目名】請求項２
【補正方法】変更
【補正の内容】
【請求項２】
開始反応ガス混合物１が、前記開始反応ガス混合物１に含まれるプロピレンのモル量に基づき、５０ｍｏｌｐｐｂ〜２ｍｏｌ％のシクロプロパンを含むことを特徴とする、請求項１に記載の方法。
【手続補正３】
【補正対象書類名】特許請求の範囲
【補正対象項目名】請求項３
【補正方法】変更
【補正の内容】
【請求項３】
開始反応ガス混合物１が、前記開始反応ガス混合物１に含まれるプロピレンのモル量に基づき、１００ｍｏｌｐｐｂ〜１ｍｏｌ％のシクロプロパンを含むことを特徴とする、請求項１に記載の方法。
【手続補正書】
【提出日】平成21年12月8日(2009.12.8)
【手続補正１】
【補正対象書類名】特許請求の範囲
【補正対象項目名】請求項１２
【補正方法】変更
【補正の内容】
【請求項１２】
開始反応ガス混合物１が、前記開始反応ガス混合物１に含まれるプロパンの量に基づき、１０ｍｏｌｐｐｂ以上のシクロプロパンを含むことを特徴とする、請求項１から１１までのいずれか１項に記載の方法。
【手続補正２】
【補正対象書類名】特許請求の範囲
【補正対象項目名】請求項１３
【補正方法】変更
【補正の内容】
【請求項１３】
開始反応ガス混合物１が、前記開始反応ガス混合物１に含まれるプロパンの量に基づき、５０ｍｏｌｐｐｂ以上のシクロプロパンを含むことを特徴とする、請求項１から１１までのいずれか１項に記載の方法。
【手続補正３】
【補正対象書類名】特許請求の範囲
【補正対象項目名】請求項１４
【補正方法】変更
【補正の内容】
【請求項１４】
開始反応ガス混合物１が、前記開始反応ガス混合物１に含まれるプロパンの量に基づき、１ｍｏｌｐｐｍ以上のシクロプロパンを含むことを特徴とする、請求項１から１１までのいずれか１項に記載の方法。
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
有効成分の皮膚投与または経皮投与のための医薬製剤における、
ヘアケア剤に使用される皮膜形成ポリウレタン、これらのポリウレタンの混合物もしくはポリウレタン類と他のポリマーとの混合物、またはウレタンと他のモノマーとのコポリマーの使用であって、
前記皮膜形成ポリウレタンは、中和されている、完全に反応したカルボキシル化直鎖ポリウレタンであり、
このカルボキシル化直鎖ポリウレタンは、
（１）式Ｉによって表される１種以上の２，２−ヒドロキシメチル置換カルボン酸
【化１】
2009520741.tif 000001
（式中、Ｒは水素またはＣ１〜Ｃ２０アルキルを意味する）
であって、ポリウレタン１ｇにつき０．３５〜２．２５ミリ当量のカルボキシル官能価を生じさせるのに十分な重量で存在する２，２−ヒドロキシメチル置換カルボン酸、
（２）ポリウレタンの重量に対して１０〜９０重量％の１種以上の有機化合物であって、活性水素原子が２以下である有機化合物、および
（３）２，２−ヒドロキシメチル置換カルボン酸および有機化合物の活性水素原子（２，２−ヒドロキシメチル置換カルボン酸のカルボキシル基上の水素を除く）と反応するのに十分な量で存在する１種以上の有機ジイソシアネート
からなる反応生成物である、使用。
【請求項２】
請求項１において、ヘアケア剤に使用される皮膜形成ポリウレタンが、ポリウレタン‐１４−ＡＭＰ‐アクリレートコポリマーである、使用。
【請求項３】
請求項１または２において、溶液中のポリマー濃度が、０．０１〜４０％である、使用。
【請求項４】
請求項１〜３に記載の１種以上のヘアケア用ポリウレタンに加えて、
・０．０１〜３０％（ｗ／ｗ）の１種以上の有効成分、
・０．０１〜９９．９８％（ｗ／ｗ）の１種以上の溶媒、
・必要に応じて、０．０１〜２０％（ｗ／ｗ）の１種以上の軟化剤、
・必要に応じて、０．０１〜１０％（ｗ／ｗ）の１種以上の保湿剤、
・必要に応じて、０．０１〜１０％（ｗ／ｗ）の１種以上の乳化剤および／または
・必要に応じて、０．０１〜１５％（ｗ／ｗ）の１種以上の透過促進剤
を含有する、液体医薬製剤。
【請求項５】
請求項４において、溶液、エマルジョンまたは懸濁液の形態である、液体医薬製剤。
【請求項６】
請求項４または５において、有効成分の経皮投与のためのものである、液体医薬製剤。
【請求項７】
請求項６において、
・アンドロゲン、
・エストロゲン、
・ゲスターゲン、
・ｍ−コリン受容体拮抗薬、
・プロスタグランジン、
・ダナゾール、フィナステリド、ラロキシフェン、ニコチン、オキシトシン、ニトログリセリン、フェンタニル、ナロキソン、ブプロピオン、クロニジン、プロプラノロール、メトプロロール、ジルチアゼム、ニカルジピン、カプトプリル、硝酸イソソルビド、ジメチルイソソルビド、タリノロール、リドカイン、プロピポカイン、ジアゼパム、ミダゾラム、メチルフェニデート、パラトルモン、ロチゴチン、インスリン、へパリン、オキシブチニン、スルファグアニジンおよびジドブジン
（これらのキラル型および薬学的に許容される塩を含む）
からなる群から選択される１種以上の有効成分を含有する、液体医薬製剤。
【請求項８】
請求項４または５において、有効成分の皮膚投与のためのものである、液体医薬製剤。
【請求項９】
請求項８において、
・日焼け剤に含まれているカテキンのオリゴマー、ガロタンニンとフラバン誘導体とのオリゴマー、フェノールカルボン酸、没食子酸およびその誘導体のエステル化した糖、
・防腐剤、
・抗生物質、
・抗真菌剤、
・局所用副腎皮質ホルモン剤、
・局所用免疫調節剤、
・抗ヒスタミン剤、
・免疫抑制剤、
・ビタミンＤ３類似体、
・局所用レチノイド、
・細胞増殖抑制剤、
・紫外線防止性スチルベン誘導体、
・植物抽出物、
・尿素、乳酸、フマル酸エステル、アゼライン酸、ハイドロキノン、過酸化ベンゾイル、安息香酸ベンジル、ケトプロフェン、イブプロフェン、サリチル酸塩、ナプロキセン、ジクロフェナクナトリウムおよび塩、ケトロラク、インドメタシン、ピロキシカム、ニコチンアミド、フタル酸ジプロピル、アミノピリン、フルフェナム酸、ケトチフェン、ポリドカノール、オリゴヌクレオチド、ｓｉ−ＲＮＡおよびリボザイム、ＲＮＡデコイヌクレオチド、アシクロビル、ペンシクロビル、イドクスウリジン、トリフルリジン、ビダラビン、トロマンタジン、５−アミノレブリン酸、リドカイン、プロカインおよびシンコカイン
（これらのキラル型および薬学的に許容される塩を含む）
からなる群から選択される１種以上の有効成分を含有する、液体医薬製剤。
【請求項１０】
請求項５〜９のいずれか１項において、溶媒が皮膚に適合性であり揮発性である、液体医薬製剤。
【請求項１１】
請求項１０において、
・エタノール、
・イソプロパノール、
・酢酸エチル、
・揮発性シリコーン、
・アセトン、および
・水
からなる群から選択される１種以上の溶媒を含有する、液体医薬製剤。
【請求項１２】
請求項１０または１１において、溶媒が、水の割合が５０％（ｗ／ｗ）未満である水性溶媒混合物である、液体医薬製剤。
【請求項１３】
請求項４〜１２のいずれか１項において、医薬製剤を噴霧することが可能であり、必要に応じて噴射剤を含有していている、液体医薬製剤。
【手続補正２】
【補正対象書類名】明細書
【補正対象項目名】００５６
【補正方法】変更
【補正の内容】
【００５６】
本発明において好ましい乳化剤は、ラウリル硫酸ナトリウム、セチルステアリル硫酸ナトリウム、グリセリン脂肪酸エステル、レシチン、脂肪アルコール、コレステロール、ソルビタン脂肪酸エステル、ポリオキシエチレン（ＰＯＥ）脂肪酸エステル、ＰＯＥ脂肪酸グリセリドまたはＰＯＥ脂肪アルコールエーテルである。これらは、好ましくは０．０１〜１０％（ｗ／ｗ）の割合で医薬製剤に添加することができる。
【手続補正３】
【補正対象書類名】明細書
【補正対象項目名】００６２
【補正方法】変更
【補正の内容】
【００６２】
本発明による医薬製剤を、市販の施用装置に封入することができ、その施用装置を利用して皮膚に施用することができる。この場合、施用装置としては、ローラー、ポンプ式噴霧瓶、噴霧装置、チューブ、ブラシ付き瓶またはピペット付き瓶が特に好適である。１つの噴霧装置に封入する場合、さらに噴射剤を混合する必要がある。噴射剤としては、例えば、ジメチルエーテルまたはプロパンとブタンとの組み合わせを使用することができる。この場合、有効成分の投与は、当業者には既知の装置または手順によって行われる。
また、本発明は、有効成分の皮膚投与または経皮投与のための、柔軟で、易付着性で、べたつきがなく、外見上目立たないパッチであって、前記記載の医薬製剤を皮膚に施用し、次いで溶媒を乾燥させることによって得られる、パッチも包含している。このパッチでは、例えば、水蒸気透過率が０．０５ｇ×ｃｍ−２×２４時間−１を超えていてもよい。また、このパッチは、ヘアケア用ポリマーＤｙｎａｍＸ（登録商標）を含有していてもよい。
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
それぞれがＩｇＧ結合ドメインを含む２つの異なる単離されたブドウ球菌ポリペプチドを含む免疫原性組成物。
【請求項２】
黄色ブドウ球菌に由来する単離されたプロテインＡポリペプチド又はＩｇＧ結合ドメインを含むその断片を含む、請求項１記載の免疫原性組成物。
【請求項３】
単離されたプロテインＡポリペプチドが、配列番号１２〜４０に対して少なくとも８０％の同一性を有する配列又はＩｇＧ結合ドメインを含むその断片を有する、請求項２記載の免疫原性組成物。
【請求項４】
黄色ブドウ球菌に由来する単離されたＳｂｉポリペプチド又はＩｇＧ結合ドメインを含むその断片を含む、請求項１〜３のいずれか１項に記載の免疫原性組成物。
【請求項５】
単離されたＳｂｉポリペプチドが、配列番号１〜１１に対して少なくとも８０％の同一性を有する配列又はＩｇＧ結合ドメインを含むその断片を有する、請求項４記載の免疫原性組成物。
【請求項６】
単離されたプロテインＡポリペプチド又はその断片が単離されたＳｂｉポリペプチド又はその断片と共有結合して融合タンパク質を形成している、請求項１〜５のいずれか１項に記載の免疫原性組成物。
【請求項７】
融合タンパク質が、配列番号４１〜４２若しくは７６の配列に対して少なくとも８０％の同一性を有するポリペプチド配列、又はプロテインＡ及びＳｂｉの両方に由来するＩｇＧ結合ドメインを含むその断片を有する、請求項６記載の免疫原性組成物。
【請求項８】
別のブドウ球菌抗原を含む、請求項１〜７のいずれか１項に記載の免疫原性組成物。
【請求項９】
（ａ）配列番号１２〜４０からなる群より選択されるアミノ酸配列に対して少なくとも８５％の同一性を有するアミノ酸配列を有するプロテインＡ部分、又は少なくとも１つのＩｇＧ結合ドメインを含むその免疫原性断片と、（ｂ）配列番号１〜１１からなる群より選択されるアミノ酸配列に対して少なくとも８５％の同一性を有するアミノ酸配列を有するＳｂｉ部分、又は少なくとも１つのＩｇＧ結合ドメインを含むその免疫原性断片とを含むポリペプチド。
【請求項１０】
配列番号４１又は４２又は７６に対して少なくとも８５％の同一性を有するアミノ酸配列を有する、請求項９記載のポリペプチド。
【請求項１１】
（ａ）配列番号５４〜７２からなる群より選択されるポリヌクレオチド配列に対して少なくとも８５％の同一性を有するプロテインＡコード領域、又は少なくとも１つのＩｇＧ結合ドメインをコードするその断片と、（ｂ）配列番号４３〜５３からなる群より選択されるポリヌクレオチド配列に対して少なくとも８５％の同一性を有するＳｂｉコード領域、又は少なくとも１つのＩｇＧ結合ドメインをコードするその断片とを含むポリヌクレオチド。
【請求項１２】
（ａ）配列番号１２〜４０からなる群より選択されるアミノ酸配列に対して少なくとも８５％の同一性を有するプロテインＡ様部分、又は任意選択で少なくとも１つのＩｇＧ結合ドメインを含んでもよいその免疫原性断片と、（ｂ）配列番号１〜１１からなる群より選択されるアミノ酸配列に対して少なくとも８５％の同一性を有するＳｂｉ様部分、又は任意選択で少なくとも１つのＩｇＧ結合ドメインを含んでもよいその免疫原性断片とを含む融合タンパク質をコードするポリヌクレオチド。
【請求項１３】
請求項１〜８のいずれか１項に記載の免疫原性組成物又は請求項９若しくは１０記載のポリペプチド、及び薬学的に許容される担体を含むワクチン。
【請求項１４】
請求項１〜８のいずれか１項に記載の免疫原性組成物又は請求項９若しくは１０記載のポリペプチドに薬学的に許容される賦形剤を添加するステップを含む、請求項１３記載のワクチンの製造方法。
【請求項１５】
ブドウ球菌疾患の治療又は予防に使用するための請求項１〜８のいずれか１項に記載の免疫原性組成物。
【請求項１６】
ブドウ球菌疾患を治療又は予防するための医薬の製造における請求項１〜８のいずれか１項に記載の免疫原性組成物の使用。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
薬物耐性腫瘍を処置する、および／またはDNAトポイソメラーゼIをコードする遺伝子に多型を示す患者に投与するための、式Iの化合物を含む医薬組成物：
【化１】
2009520754.tif 000001
［式中、Rは水素またはC1-C4アルキルである］。
【請求項２】
Rが水素またはメチルである、請求項1に記載の医薬組成物。
【請求項３】
薬物耐性腫瘍が以下を含む群から選択される、請求項1または2に記載の医薬組成物：肉腫、癌腫、カルチノイド骨腫瘍、神経内分泌腫瘍、リンパ性白血病、急性前骨髄球性白血病、骨髄性白血病、単球性白血病、巨核芽球性白血病およびホジキン病。
【請求項４】
腫瘍が前立腺癌である、請求項１または２に記載の医薬組成物。
【請求項５】
カンプトテシンに耐性の腫瘍を処置する、および／またはDNAトポイソメラーゼIをコードする遺伝子に多型を示す患者に投与するための医薬組成物であって、式Iの化合物を製薬的に許容される担体および／または賦形剤と混合して含む医薬組成物：
【化２】
2009520754.tif 000002
［式中、Rは水素またはC1-C4アルキルである］。
【請求項６】
薬物耐性腫瘍を処置する、および／またはDNAトポイソメラーゼIをコードする遺伝子に多型を示す患者に投与するための医薬の調製のための、式Iの化合物の使用：
【化３】
2009520754.tif 000003
［式中、Rは水素またはC1-C4アルキルである］。
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
19Aを第1の細菌トキソイドにコンジュゲートさせ、19Fを第2の細菌トキソイドにコンジュゲートさせた、血清型19A及び19Fに由来する肺炎連鎖球菌莢膜糖類コンジュゲートを含み、且つさらに肺炎連鎖球菌莢膜糖類4、6B、9V、14、18C、22F及び23Fのコンジュゲートを含む免疫原性組成物。
【請求項２】
第1の細菌トキソイドが第2の細菌毒素と異なるタンパク質である、請求項１に記載の免疫原性組成物。
【請求項３】
肺炎連鎖球菌莢膜糖類1、5及び7Fのコンジュゲートをさらに含む、請求項１又は２に記載の免疫原性組成物。
【請求項４】
肺炎連鎖球菌莢膜糖類3コンジュゲートをさらに含む、請求項１〜３のいずれか１項に記載の免疫原性組成物。
【請求項５】
肺炎連鎖球菌莢膜糖類6Aコンジュゲートをさらに含む、請求項１〜４のいずれか１項に記載の免疫原性組成物。
【請求項６】
1種以上の非コンジュゲート化又はコンジュゲート化肺炎連鎖球菌タンパク質をさらに含む、請求項１〜５のいずれか１項に記載の免疫原性組成物。
【請求項７】
1種以上の肺炎連鎖球菌タンパク質が、ポリヒスチジントライアドファミリー(PhtX)、コリン結合タンパク質ファミリー(CbpX)、CbpXトランケート、LytXファミリー、LytXトランケート、CbpXトランケート-LytXトランケートキメラタンパク質、解毒されたニューモリシン(Ply)、PspA、PsaA、Sp128、Sp101、Sp130、Sp125及びSp133から選択される、請求項６に記載の免疫原性組成物。
【請求項８】
PhtXタンパク質を含む、請求項６又は７に記載の免疫原性組成物。
【請求項９】
アジュバントをさらに含む、請求項１〜８のいずれか１項に記載の免疫原性組成物。
【請求項１０】
請求項１〜９のいずれか１項に記載の免疫原性組成物と製薬上許容し得る賦形剤とを含むワクチン。
【請求項１１】
請求項１〜９のいずれか１項に記載の免疫原性組成物と、製薬上許容し得る賦形剤とを混合する工程を含む、請求項１０に記載のワクチンの製造方法。
【請求項１２】
肺炎連鎖球菌感染により引き起こされる疾患の治療又は予防のための医薬の製造における、請求項１〜９のいずれか１項に記載の免疫原性組成物又は請求項１０に記載のワクチンの使用。
【請求項１３】
少なくとも以下の血清型の全部：4、6B、9V、14、18C、19F、23F、1、5、7Fから誘導された糖類コンジュゲートを含み、ワクチン成分4、6B、9V、14、18C、19F及び23Fの1種以上に対して誘導されるGMC抗体力価が、ヒトワクチン被接種者においてPrevnar(登録商標)ワクチンにより誘導されたものよりも有意に低くない、請求項１〜９のいずれか１項に記載の免疫原性組成物又は請求項１０に記載のワクチン。
【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
失禁、下部尿路機能不全に関連する排尿障害、および／または肛門および尿道−膀胱括約筋の障害を治療する医薬を製造するための、式（Ｉ）：
【化１】
2009520776.tif 000001
［式中、
Ｒは、水素原子または（Ｃ１−Ｃ４）−アルキル、ヒドロキシ−（Ｃ１−Ｃ４）アルキル、（Ｃ１−Ｃ４）−アルコキシカルボニルまたはベンジル基［これらの基は場合により置換されていてもよい］を表し、そして、
Ｘは、１以上の水素またはハロゲン原子、または（Ｃ１−Ｃ４）−アルキル、（Ｃ１−Ｃ４）−アルコキシ、トリフルオロメチルおよびメチレンジオキシから選ばれる基を表すか、または、Ｘは、フェニル環と共にナフチル基を形成する］
で示される化合物ならびに薬学的に許容され得るその塩および水和物の使用。
【請求項２】
式（Ｉ）において、ＲおよびＸが、同時に水素原子を表さない、請求項１に記載の使用。
【請求項３】
式（Ｉ）において、Ｘが、１以上の塩素原子を表すか、またはフェニル環と共にナフチル基を形成するか、または３個のメトキシ基を表す、請求項１または２に記載の使用。
【請求項４】
式（Ｉ）において、Ｒが、Ｈである、請求項１〜３のいずれかに記載の使用。
【請求項５】
化合物が、４−［（２−ナフタレニル）−メトキシ］−ピペリジンまたはその薬学的に許容され得る塩もしくは水和物である、請求項１に記載の使用。
【請求項６】
化合物が、セロトニン再捕捉のインヒビター、より優先的にはセロトニン再捕捉の選択的インヒビターである、請求項１〜５のいずれかに記載の使用。
【請求項７】
化合物が、５−ＨＴ２Ｃレセプターの部分的またはそうでないアゴニスト、および／または５−ＨＴ３レセプターのアンタゴニスト、および／または５−ＨＴ３レセプターおよび／または５−ＨＴ４レセプターおよび／または５−ＨＴ７レセプターのアンタゴニストである、請求項６に記載の使用。
【請求項８】
化合物が、ドーパミン作動性レセプターＤ２、アドレナリン作動性レセプターおよびムスカリンレセプターに対して低い親和性を有する、請求項６または７に記載の使用。
【請求項９】
失禁、下部尿路機能不全に関連する排尿障害、および／または肛門および尿道−膀胱括約筋の障害を治療する医薬を製造するための、セロトニン再捕捉の選択的インヒビター、５−ＨＴ２Ｃレセプターの部分的またはそうでないアゴニストおよび／または５−ＨＴ３レセプターおよび／または５−ＨＴ４レセプターおよび／または５−ＨＴ７レセプターのアンタゴニストであってドーパミン作動性レセプターＤ２、アドレナリン作動性レセプターおよびムスカリンレセプターに対して低い親和性を有する化合物の使用。
【請求項１０】
尿失禁、特に腹圧性失禁、切迫性失禁、混合型失禁、溢流性失禁または機能性失禁を治療するための、請求項１〜９のいずれかに記載の使用。
【請求項１１】
肛門および便失禁、特に真性便失禁、機能性便失禁（ＦＦＩ）、受動的便失禁、切迫性便失禁および／または糞便漏出を治療するための、請求項１〜９のいずれかに記載の使用。
【請求項１２】
頻尿、尿意促迫もしくは切迫、夜間頻尿または遺尿を治療するための、請求項１〜９のいずれかに記載の使用。
【請求項１３】
化合物が、経口、バッカル、舌下、直腸内、腟内、鼻腔内、経皮、非経口、膀胱内、経尿道または全身経路で投与される、請求項１〜１２のいずれかに記載の使用。
【請求項１４】
化合物が、錠剤、トローチ、ゼラチンカプセル剤、軟カプセル剤、液剤、水性または油性懸濁液、エマルジョン、注射用溶液、坐剤、シロップ、顆粒剤、散剤、貼付剤、ゲル、クリーム、軟膏、スプレーまたはエアロゾルとして投与される、請求項１〜１３のいずれかに記載の使用。
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2009520701.tif 000001
式中、
Ｘは、８〜１５個の炭素原子を含む感覚受容性アルコールの残基であるか、または
Ｘは、２〜７個の炭素原子を含むアルコール、ジオール、トリオールもしくはポリオールの残基であり、
Ｙは、８〜１５個の炭素原子を含む感覚受容性アルコールの残基である、
で表され、かつ、４．５以下のＣＬｏｇＰ値を有する化合物。
【手続補正書】
【提出日】平成21年11月25日(2009.11.25)
【手続補正１】
【補正対象書類名】明細書
【補正対象項目名】０１８１
【補正方法】変更
【補正の内容】
【０１８１】
プロドラッグはまた、酸化的または還元的反応により活性医薬に変換可能な化合物も含む。例として、以下を記載し得る：
酸化的活性化
・Ｎ−およびＯ−脱アルキル化
・酸化的脱アミノ化
・Ｎ−酸化
・エポキシド化
還元的活性化
・アゾ還元
・スルホキシド還元
・ジスルフィド還元
・生体還元的アルキル化
・ニトロ還元。
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
異なる血清型に由来する2種以上(例えば、7、8、9、10、11、12、13、14、15種)の莢膜糖類コンジュゲートを含む多価肺炎連鎖球菌ワクチンを含み、血清型22F糖類コンジュゲートを含む、幼児用免疫原性組成物。
【請求項２】
肺炎連鎖球菌莢膜糖類4、6B、9V、14、18C及び23Fのコンジュゲートをさらに含む、請求項１に記載の免疫原性組成物。
【請求項３】
2種の異なる担体タンパク質を、少なくとも2種の異なる肺炎連鎖球菌莢膜糖類血清型に別々にコンジュゲートさせる、請求項１又は２に記載の免疫原性組成物。
【請求項４】
リンカーを介して担体タンパク質にコンジュゲートさせた22F莢膜糖類を含む、請求項１〜３のいずれか１項に記載の免疫原性組成物。
【請求項５】
リンカーがADHである、請求項４に記載の免疫原性組成物。
【請求項６】
リンカーを、好ましくはEDACを用いて、カルボジイミド化合物により担体タンパク質に結合させる、請求項４又は５に記載の免疫原性組成物。
【請求項７】
22F糖類を、CDAP化合物を用いて担体タンパク質又はリンカーにコンジュゲートさせる、請求項４〜６のいずれか１項に記載の免疫原性組成物。
【請求項８】
担体タンパク質と22F糖類の比率が5:1〜1:5、4:1〜1:1又は2:1〜1:1(w/w)である22F糖類コンジュゲートを含む、請求項１〜７のいずれか１項に記載の免疫原性組成物。
【請求項９】
22F糖類の平均サイズ(例えば、Mw)が100kDaを超える22F糖類コンジュゲートを含む、請求項１〜８のいずれか１項に記載の免疫原性組成物。
【請求項１０】
1種以上の非コンジュゲート化又はコンジュゲート化肺炎連鎖球菌タンパク質をさらに含む、請求項１〜９のいずれか１項に記載の免疫原性組成物。
【請求項１１】
前記1種以上の肺炎連鎖球菌タンパク質が、ポリヒスチジントライアドファミリー(PhtX)、コリン結合タンパク質ファミリー(CbpX)、CbpXトランケート、LytXファミリー、LytXトランケート、CbpXトランケート-LytXトランケートキメラタンパク質、解毒されたニューモリシン(Ply)、PspA、PsaA、Sp128、Sp101、Sp130、Sp125及びSp133から選択される、請求項１０に記載の免疫原性組成物。
【請求項１２】
アジュバントをさらに含む、請求項１〜１１のいずれか１項に記載の免疫原性組成物。
【請求項１３】
請求項１〜１２のいずれか１項に記載の免疫原性組成物と、製薬上許容し得る賦形剤とを含むワクチン。
【請求項１４】
請求項１〜１２のいずれか１項に記載の免疫原性組成物と、製薬上許容し得る賦形剤とを混合する工程を含む、請求項１３に記載のワクチンの製造方法。
【請求項１５】
肺炎連鎖球菌感染により引き起こされる疾患の治療又は予防のための医薬の製造における、請求項１〜１２のいずれか１項に記載の免疫原性組成物又は請求項１３に記載のワクチンの使用。
【手続補正書】
【提出日】平成21年11月12日(2009.11.12)
【手続補正１】
【補正対象書類名】明細書
【補正対象項目名】０００２
【補正方法】変更
【補正の内容】
【０００２】
ケモカイン類は、リウマチ性関節炎、慢性閉塞性肺疾患、アテローム性動脈硬化症および他の自己免疫性病因、例えば炎症性腸疾患、糖尿病、喘息およびアレルギー性疾患を含む、種々の疾患および障害における免疫性および炎症性応答において重要な役割を有する。ケモカイン類はまた血管形成にも役割を有し、そしてケモカイン類の調節は癌の処置において有益であり得る。ケモカイン類は、保存された４個のシステインモチーフにより特徴付けられる、増え続けている８−１４kDaタンパク質のスーパーファミリーに属する小分泌性分子である。ケモカインスーパーファミリーは、特徴的構造モチーフを示す２個の大きな群、Ｃｙｓ−Ｘ−Ｃｙｓ(Ｃ−Ｘ−Ｃ)およびＣｙｓ−Ｃｙｓ(Ｃ−Ｃ)ファミリーに分割できる。これらは、システイン残基のＮＨ−近位対の間の一アミノ酸挿入および配列類似性に基づき区別される。
【手続補正２】
【補正対象書類名】明細書
【補正対象項目名】００１１
【補正方法】変更
【補正の内容】
【００１１】
または、該脂肪族環は、
(ｉ)  １個以上の環炭素原子上をハロゲン、−ＣＮまたはＣ１−４アルキル基(これは、所望によりヒドロキシまたは−Ｏ−Ｃ１−４アルキル基で置換されていてよい)で一置換または二置換されている、および／または
(ii)  環炭素原子上をＣ１−４アルキル基で、または７個までの環原子を有し、その中の１個が所望によりＯ、Ｓ、またはＮであってよい１個のスピロ基(このような基は、所望によりヒドロキシルまたは−Ｏ−Ｃ１−４アルキル基で置換されていてよい)で二置換されている、および／または
(iii)  環炭素原子上をヒドロキシ基、および７個までの環原子であり、３個までの各々Ｎ、ＯまたはＳから独立して選択されるヘテロ原子を含む単環式ヘテロ芳香環で二置換されている；
ただし
(ｉ)  Ｑがピペリジンであり、ＸがＯであり、そして該ピペリジン環窒素がシクロプロピルで置換されているならば、Ｐは非置換２−ピリジル、非置換２−ピラジニルまたは置換フェニル、２−ピリジル、４−ピリジル、他環に縮合した４−ピリジル、または４−ピリミジル(ここで、いずれの場合も、置換基は１個のオルト位メトキシ、トリフルオロメチルまたはシアノ置換基である。〕
の化合物、またはその薬学的に許容される塩もしくは溶媒和物を提供する。
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
式(I)：
【化１】
2009520791.tif 000001
（式中、
Xは、-N-、-CH2-N-、-CH2-CH-又は-CH-であり；
R1は、式(IA)
【化２】
2009520791.tif 000002
（式中、
Zは、-CH2-、-NH-、-O-、-S(O)-、-S-、-S(O)2又は3〜7個の環原子を有する二価の単環式で炭素環式又は複素環式の基であり；
Alkは、任意に置換されていてもよい二価のC1〜C6 アルキレン基であり;
Aは、水素、又は任意に置換されていてもよい5〜7個の環原子を有する単環式で炭素環式若しくは複素環式の環であり；
r及びsは、独立して0又は1であるが、但しAが水素である場合、r及びsの少なくとも一方が1である）
の基であり；
R2は、ハロゲン、-CN、-CF3、-OCH3又はシクロプロピルであり；
R3は、式(IB)
【化３】
2009520791.tif 000003
（式中、
Qは、水素、又は任意に置換されていてもよいフェニル又は5若しくは6個の環原子を有する単環式の複素環式の環であり；
Z1は、-S-、-S(O)-、-S(O)2-、-O-、-SO2NH-、-NHSO2-、NHC(=O)NH、-NH(C=S)NH-又は-N(R4)- (式中、R4は、水素、C1〜C3アルキル、シクロアルキル又はベンジルである)であり；
Alk1及びAlk2は独立して、任意に置換されていてもよい二価のC1〜C3アルキレン基であり；
m、n及びpは、独立して0又は1である）
の基である）
の化合物、その塩、水和物、溶媒和物又はN-酸化物。
【請求項２】
R3基が、式(IB)：
【化４】
2009520791.tif 000004
(式中、Qは請求項1で定義されるとおりであり、Rは水素又はメチルである)
を有する請求項1に記載の化合物。
【請求項３】
R3基が、式(IC)：
【化５】
2009520791.tif 000005
(式中、Alk1及びQは請求項1で定義されるとおりである)
を有する請求項1に記載の化合物。
【請求項４】
Alk1が、-CH2-、-CH2CH2-又は-CH(CH3)-である請求項３に記載の化合物。
【請求項５】
Qが、任意に置換されていてもよいフェニル、チアゾリル、イソチアゾリル、オキサゾリル、イソキサゾリル及びピリジルから選択される請求項１〜４のいずれか１項に記載の化合物。
【請求項６】
Qが、チアゾール-2-イル、3-メチルイソキサゾール-5-イル、4-メチルチアゾール-2-イル、フェニル又は3-クロロフェニルである請求項２に記載の化合物。
【請求項７】
Qが、フェニル、4-クロロフェニル、5-メチル-イソキサゾール-3-イル、ピリド-3-イル若しくはピリド-4-イル、ピリミジン-5-イル又は2-メチルチアゾール-4-イルである請求項４に記載の化合物。
【請求項８】
R1において、Zが
【化６】
2009520791.tif 000006
から選択される請求項１〜７のいずれか１項に記載の化合物。
【請求項９】
R1において、Alkが、任意に置換されていてもよい-CH2-、-CH2CH2-又は-CH2CH2CH2-である請求項１〜８のいずれか１項に記載の化合物。
【請求項１０】
R1において、rが0又は1であり、sが1であり、Aが水素である請求項９に記載の化合物。
【請求項１１】
Alkが、-NR5R6 (式中、R5及びR6は独立して、水素若しくはC1〜C3アルキルであるか、又はR5及びR6は、それらが結合している窒素と一緒に3〜7員環を形成する)により置換されている請求項１０に記載の化合物。
【請求項１２】
R1が、任意に置換されていてもよいフェニル又は5若しくは6個の環原子を有する任意に置換されていてもよいヘテロアリールである請求項１〜７のいずれか１項に記載の化合物。
【請求項１３】
フェニル又はヘテロアリール環Aが、-(CH2)vNR5R6基(式中、vは0、1、2、3又は4であり、R5及びR6は独立して、水素若しくはC1〜C3アルキルであるか、又はR5及びR6は、それらが結合している窒素と一緒に、任意に置換されていてもよい3〜7員環を形成する)により置換されている請求項１２に記載の化合物。
【請求項１４】
R5及びR6が、それらが結合している窒素と一緒に、任意に置換されていてもよいピペリジン、ピペラジン、モルホリン又はピラゾリル環を形成している請求項１３に記載の化合物。
【請求項１５】
R2が、
【化７】
2009520791.tif 000007
の基に近接する非架橋炭素原子に結合している請求項１〜１４のいずれか１項に記載の化合物。
【請求項１６】
式(ID)：
【化８】
2009520791.tif 000008
(式中、Rは、水素又はメチルであり；R2は、クロロ又はブロモであり；Qは、チアゾール-2-イル、3-メチルイソキサゾール-5-イル、4-メチルチアゾール-2-イル、フェニル又は3-クロロフェニルであり；Zは、-O-であり；rは、0又は1であり；vは、1、2又は3であり；R5及びR6は独立して、水素、メチル若しくはエチルであるか、又はR5及びR6は、それらが結合している窒素と一緒に、ピペリジニル、モルホリニル、ピラゾリル若しくはピペラジニル環を形成し、後者は第2窒素において任意に置換されていてもよい)
を有する請求項１に記載の化合物。
【請求項１７】
式(IE)：
【化９】
2009520791.tif 000009
(式中、Rは、水素又はメチルであり；R2は、クロロ又はブロモであり；rは、0又は1であり；vは、1、2又は3であり；R5及びR6は独立して、水素、メチル若しくはエチルであるか、又はR5及びR6は、それらが結合している窒素と一緒に、ピペリジニル、モルホリニル、ピラゾリル若しくはピペラジニル環を形成し、後者は第2窒素において任意に置換されていてもよく；Qは、フェニル、4-クロロフェニル、5-メチル-イソキサゾール-3-イル、ピリド-3-イル若しくはピリド-4-イル、ピリミジン-5-イル又は2-メチルチアゾール-4-イルである)
を有する請求項１に記載の化合物。
【請求項１８】
請求項１〜１７のいずれか１項に記載の化合物を、医薬的に許容される担体とともに含む医薬組成物。
【請求項１９】
癌細胞増殖又はリウマチ性関節炎の治療用の請求項１８に記載の組成物。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
ＮＳＰＡＸを含み、Ｘが、メチオニン（配列ＩＤ１８）、ロイシン（配列ＩＤ１７）、アラニン（配列ＩＤ１５）又はバリン（配列ＩＤ１０）である１８個未満のアミノ酸のペプチドにおいて、
該ペプチドは、ＧＲＤＩＫＶＱＦＱＳＧＧＮＮＳＰＡＶ（配列ＩＤ１１）ペプチドから作成された抗体に結合し得ることを特徴とするペプチド。
【請求項２】
前記ＮＳＰＡＸ配列のＣ末端及び／又はＮ末端に、付加的なアミノ酸を６個まで含む、請求項１に記載のペプチド。
【請求項３】
前記ペプチドは、ＮＮＳＰＡＸ配列を含む、請求項１又は２に記載のペプチド。
【請求項４】
前記ペプチドは、ＮＮＳＰＡＶ配列（配列ＩＤ１４）を含む、請求項３に記載のペプチド。
【請求項５】
前記ペプチドは、ＳＧＧＮＮＳＰＡＸ（配列ＩＤ２６）を含み、Ｘは、メチオニン（配列ＩＤ１８）、ロイシン（配列ＩＤ１７）、アラニン（配列ＩＤ１５）又はバリン（配列ＩＤ１０）である、請求項１〜４のいずれか一項に記載のペプチド。
【請求項６】
前記ペプチドは、ＧＲＤＩＫＶＱＦＱＳＧＧＮＮＳＰＡＶ（配列ＩＤ１１）ではない、請求項１〜５のいずれか一項に記載のペプチド。
【請求項７】
前記ペプチドは、ＳＧＧＮＮＳＰＡＸ（配列ＩＤ２６）からなり、Ｘが、メチオニン（配列ＩＤ１８）、ロイシン（配列ＩＤ１７）、アラニン（配列ＩＤ１５）又はバリン（配列ＩＤ１０）である、請求項１〜４のいずれか一項に記載のペプチド。
【請求項８】
前記Ｘは、メチオニン（配列ＩＤ１８）、ロイシン（配列ＩＤ１７）又はアラニン（配列ＩＤ１５）である、請求項１〜７のいずれか一項に記載のペプチド。
【請求項９】
前記Ｘは、Ｘが、メチオニン（配列ＩＤ１８）又はアラニン（配列ＩＤ１５）である、請求項７に記載のペプチド。
【請求項１０】
前記ペプチドは、ラベルを更に含む、請求項１〜９のいずれか一項に記載のペプチド。
【請求項１１】
請求項１〜９のいずれか一項に記載のペプチドをコードしていることを特徴とする塩基配列。
【請求項１２】
配列ＩＤ１１と親和性を有する、配列ＩＤ１１から作成された抗体又はその断片であることを特徴とする抗体又はその断片。
【請求項１３】
請求項１〜１１のいずれか一項に記載のペプチドを含む結核菌の存在を判定することを特徴とする置換ＥＬＩＳＡアッセイ。
【請求項１４】
請求項１２に記載の抗体を含む、請求項１１に記載の置換ＥＬＩＳＡアッセイ。
【請求項１５】
請求項１２に記載の抗体を含む結核菌の存在を検出することを特徴とするＥＬＩＳＡアッセイ。
【請求項１６】
請求項１５に従う結核菌の有無を判定する方法であって、該方法は、
（ｉ）配列ＩＤ１１から作成された抗体と患者からの試料とを接触させるステップと、
（ｉｉ）試料内のペプチドと前記抗体間で形成された複合体の有無を検出するステップと、
（ｉｉｉ）前記試料内にて形成された複合体の分量を正常コントロールと比較して、該コントロールに対する試料内の複合体の分量が増加している場合に結核菌が存在していることを示すステップと、を含むことを特徴とする方法。
【請求項１７】
前記患者からの試料は、肺由来の試料である、請求項１６に記載の方法。
【請求項１８】
前記抗体は酵素によりラベルされている、請求項１２、１４〜１７のいずれか一項に記載の方法。
【請求項１９】
請求項１〜１８のいずれか一項に記載のペプチド及び配列ＩＤ１１に従うペプチドを含むことを特徴とする結核菌の存在を判定する置換ＥＬＩＳＡアッセイ。
【請求項２０】
結核菌の有無を判定する方法であって、該方法は、
（ｉ）請求項１〜１０のいずれか一項に記載のペプチド及び患者からの試料を含む組成物を提供するステップと、
（ｉｉ）前記組成物と配列ＩＤ１１から作成された抗体とを接触させるステップと、
（ｉｉ）試料内のペプチドと前記抗体間で形成された複合体の有無を検出するステップと、
（ｉｉｉ）前記試料内にて形成された複合体の分量を通常のコントロールと比較し、該コントロールに対する試料内の複合体の分量が減少していると結核菌が存在することを示すステップと、を含むことを特徴とする方法。
【請求項２１】
前記患者からの試料は、気管由来の試料である、請求項２０に記載の方法。